(57)【要約】      （修正有）【課題】各毛束が歯牙表面の具体的な形状構造に応じて独立して上下に動き、クリーニング効果が良く、耐久性を確保できる手動歯ブラシを提供する。【解決手段】手動歯ブラシは、頭部の上部ケーシング上に少なくとも１つの第１接続穴１１を設ける歯ブラシ本体１と、毛束と基台とを備え、毛束が各々少なくとも１つの第１接続穴を通る少なくとも１つの毛束組立体２と、少なくとも１つのバネを備え、各バネがコイルと、コイルに連接するコイル固定ベースプレートとを含み、バネのコイル頂部が各々少なくとも１つの毛束組立体の基台に当接し、組立体底板と組立体天板とを更に含み、各バネのコイル固定ベースプレートがしっかりと挟持され、また組立体底板と組立体天板の間に固定されるバネ組立体３と、を包括する。手動歯ブラシ内にバネを設けており、バネと毛束組立体との当接を利用して毛束組立体の自在な動き及びバネの駆動を実現する。【選択図】図１
0003212964.tif 000002
【実用新案登録請求の範囲】
【請求項１】
手動歯ブラシであって、
頭部の上部ケーシング上に少なくとも１つの第１接続穴（１１）を設ける歯ブラシ本体（１）と、
各毛束組立体（２）は毛束（２１）と基台（２２）とを備え、少なくとも１つの前記毛束組立体（２）の毛束（２１）が各々少なくとも１つの前記第１接続穴（１１）を通す少なくとも１つの毛束組立体（２）と、
少なくとも１つのバネ（３１）を備え、各前記バネ（３１）がコイル（３１２）と、前記コイル（３１２）に連接するコイル固定ベースプレート（３１１）とを含み、少なくとも１つの前記バネ（３１）の前記コイル（３１２）頂部が各々少なくとも１つの前記毛束組立体（２）の基台（２２）に当接し；組立体底板（３２）と組立体天板（３３）とを更に含み、各前記バネ（３１）の前記コイル固定ベースプレート（３１１）が前記組立体底板（３２）と前記組立体天板（３３）の間に挟持されると共に固定されるバネ組立体（３）と、を包括する
ことを特徴とする手動歯ブラシ。
【請求項２】
歯ブラシ後蓋（４）を更に含み、前記歯ブラシ後蓋（４）の内側面に寸法がバネ組立体（３）の外形寸法とマッチする嵌合凸部（４１）を設け、前記バネ組立体（３）が前記嵌合凸部（４１）に嵌め合うことによって前記歯ブラシ後蓋（４）内に固定される
請求項１に記載の手動歯ブラシ。
【請求項３】
前記組立体底板（３２）及び前記組立体天板（３３）上には、各々少なくとも１つの第１リベット接続穴（３２１）と少なくとも１つの第２リベット接続穴（３３１）が設けられ、少なくとも１つの接続用リベット（５）が各々前記少なくとも１つの第１リベット接続穴（３２１）及び前記少なくとも１つの第２リベット接続穴（３３１）を通して前記組立体底板（３２）と前記組立体天板（３３）をリベット接合する
請求項２に記載の手動歯ブラシ。
【請求項４】
前記組立体天板（３３）上には、寸法が少なくとも１つの前記バネ（３１）の前記コイル（３１２）寸法とマッチする少なくとも１つの天板貫通孔（３３２）が設けられており、少なくとも１つの前記バネ（３１）の前記コイル（３１２）が各々少なくとも１つの前記天板貫通孔（３３２）を通し；
前記組立体底板（３２）上には、寸法が少なくとも１つの前記バネ（３１）の前記コイル固定ベースプレート（３１１）中央孔の寸法とマッチする少なくとも１つの環状凸起（３２２）が設けられており、少なくとも１つの前記環状凸起（３２２）が各々少なくとも１つの前記バネ（３１）の前記コイル固定ベースプレート（３１１）中央孔を通し、少なくとも１つの前記バネ（３１）の前記コイル固定ベースプレート（３１１）を各々少なくとも１つの環状凸起（３２２）内に嵌め込ませる
請求項３に記載の手動歯ブラシ。
【請求項５】
少なくとも１つの前記バネ（３１）の前記コイル固定ベースプレート（３１１）の面積は、各々少なくとも１つの前記天板貫通孔（３３２）より大きく、少なくとも１つの前記環状凸起（３２２）が更に少なくとも１つの前記天板貫通孔（３３２）を各々通して少なくとも１つの前記バネ（３１）の前記コイル固定ベースプレート（３１１）を前記組立体底板（３２）と前記組立体天板（３３）の間に挟持すると共に固定させ、
少なくとも１つの前記バネ（３１）の前記コイル（３１２）は、各々少なくとも１つの前記天板貫通孔（３３２）を通した後、少なくとも１つの前記毛束組立体（２）の前記基台（２２）に当接する
請求項４に記載の手動歯ブラシ。
【請求項６】
各前記毛束組立体（２）は、基台（２２）と、毛束押え部材（２３）と毛束２１と毛束基台パッド（２４）とを含む
請求項１に記載の手動歯ブラシ。
【請求項７】
各前記毛束組立体（２）の基台（２２）には、収容溝（２２１）、頂部押圧開口部（２２２）及びバネ収容用底部キャビティー（２２３）が設けられており、前記毛束基台パッド（２４）が水平方向に配置されると共に前記収容溝（２２１）内の底部位置に嵌め合い、前記毛束押え部材（２１）が垂直方向に配置されると共に前記収容溝（２２１）内に嵌め合い；前記毛束（２１）の中間部位は、垂直に配置される前記毛束押え部材（２１）と水平に配置される前記毛束基台パッド（２４）の間に押さえ付けて固定され、前記毛束（２１）の両端が収容溝（２２１）の隙間を経由して前記基台（２２）の外に露出する
請求項６に記載の手動歯ブラシ。
【請求項８】
前記頂部押圧開口部（２２２）は、底部が広く、頭部が狭い「八」の字の形をなし、前記毛束押え部材（２３）を前記収容溝（２２１）内に押し付け、前記バネ収容用底部キャビティー（２２３）が前記バネ（３１）の前記コイル（３１２）頂部を収容し、各前記毛束組立体（２）が外力作用を受けた時下方に向かって前記バネ（３１）を圧縮し、外力が消えた時前記毛束組立体（２）が前記バネ（３１）作用を受けて上方へ復帰する
請求項７に記載の手動歯ブラシ。
【請求項９】
各前記第１接続穴（１１）の上部は狭く、下部が広く、前記基台（２２）が下部に収容され、前記毛束（２１）が上部を通して前記歯ブラシ本体（１）の外に露出して歯をクリーニングするために用いられる
請求項８に記載の手動歯ブラシ。
【請求項１０】
各前記基台（２２）の底部周囲には、固定凸縁（２２４）が設けられており、前記固定凸縁（２２４）の寸法が前記バネ収容用底部キャビティー（２２３）の開口部寸法より大きい
請求項９に記載の手動歯ブラシ。
【考案の詳細な説明】
【技術分野】
【０００１】
本考案は、医療機器分野に関し、特に、各毛束が独立して上下に動き得る手動歯ブラシに関する。
【背景技術】
【０００２】
現在市場上従来の手動歯ブラシ内の毛束は、植毛片内に植え込まれると共に固定されているため、動くことはない。これは、手動歯ブラシに対し非常に大きな製品欠陥となり、固定して動かない毛束により、手動歯ブラシは、歯の内外表面の複雑な形状構造に対し重点的な刷掃を行うことができないことで、歯のクリーニング効果が上がらず、また当該種類の毛束の固定方法は毛束の耐久性を確保できことで、脱落しやすいため、歯ブラシ製品の寿命が短く、頻繁に交換する必要があり、著しく使用者の使用感にマイナスの影響を与える。
【考案の概要】
【考案が解決しようとする課題】
【０００３】
本考案が解决しようとする技術的課題は、従来技術の手動歯ブラシの毛束が固定して動かず、歯の内外表面の複雑な形状構造に対し重点的な刷掃を行うことができないことで、歯のクリーニング効果が悪くなるという欠陥について、各毛束が歯牙表面の具体的な形状構造に応じて独立して上下に動くことで、クリーニング効果が良くなり、また耐久性を確保する手動歯ブラシを提供する。
【課題を解決するための手段】
【０００４】
本考案がその技術的課題を解決するために用いる技術的解決策としては、手動歯ブラシであって、頭部の上部ケーシング上に少なくとも１つの第１接続穴を設ける歯ブラシ本体と、各毛束組立体は毛束と基台とを備え、少なくとも１つの前記毛束組立体の毛束が各々少なくとも１つの前記第１接続穴を通す少なくとも１つの毛束組立体と、少なくとも１つのバネを備え、各前記バネがコイルと、コイルに連接するコイル固定ベースプレートとを含み、少なくとも１つの前記バネのコイル頂部が各々少なくとも１つの前記毛束組立体の基台に当接し；組立体底板と組立体天板とを更に含み、各前記バネのコイル固定ベースプレートが前記組立体底板と組立体天板の間にしっかりと挟持すると共に固定されるバネ組立体と、を包括する。
【０００５】
好ましくは、該歯ブラシ装置は、歯ブラシ後蓋を更に含み、前記歯ブラシ後蓋の内側面に寸法がバネ組立体の外形寸法とマッチする嵌合凸部を設け、前記バネ組立体が前記嵌合凸部に嵌め合うことによって前記歯ブラシ後蓋内に固定される。
【０００６】
好ましくは、前記組立体底板及び組立体天板上には、各々少なくとも１つの第１リベット接続穴と少なくとも１つの第２リベット接続穴が設けられ、少なくとも１つの接続用リベットが各々少なくとも１つの第１リベット接続穴及び少なくとも１つの第２リベット接続穴を通して前記組立体底板と組立体天板をリベット接合する。
【０００７】
好ましくは、前記組立体天板上には、寸法が少なくとも１つの前記バネのコイル寸法とマッチする少なくとも１つの天板貫通孔が設けられており、少なくとも１つの前記バネのコイルが各々少なくとも１つの前記天板貫通孔を通し；前記組立体底板上には、寸法が少なくとも１つの前記バネのコイル固定ベースプレート中央孔の寸法とマッチする少なくとも１つの環状凸起が設けられており、少なくとも１つの前記環状凸起が各々少なくとも１つの前記バネのコイル固定ベースプレート中央孔を通し、少なくとも１つの前記バネのコイル固定ベースプレートを各々少なくとも１つの環状凸起内に嵌め込ませる。
【０００８】
好ましくは、少なくとも１つの前記バネのコイル固定ベースプレートの面積は、各々少なくとも１つの前記天板貫通孔より大きく、少なくとも１つの前記環状凸起が更に少なくとも１つの前記天板貫通孔を各々通して少なくとも１つの前記バネのコイル固定ベースプレートを前記組立体底板と組立体天板の間にしっかりと挟持すると共に固定させ、少なくとも１つの前記バネのコイルは、各々少なくとも１つの前記天板貫通孔を通した後、少なくとも１つの前記毛束組立体の基台に当接する。
【０００９】
好ましくは、各前記毛束組立体は、基台と毛束押え部材と毛束と毛束基台パッドと、を含む。
【００１０】
好ましくは、各前記毛束組立体の基台には、収容溝、頂部押圧開口部及びバネ収容用底部キャビティーが設けられており、前記毛束基台パッドが水平方向に配置されると共に収容溝内の底部位置に嵌め合い、前記毛束押え部材が垂直方向に配置されると共に収容溝内に嵌め合い；前記毛束の中間部位は、垂直に配置される毛束押え部材と水平に配置される毛束基台パッドの間にしっかりと押さえ付けて固定され、前記毛束の両端が収容溝の隙間を経由して基台の外に露出する。
【００１１】
好ましくは、前記頂部押圧開口部は、底部が広く、頭部が狭い「八」の字の形をなし、毛束押え部材を収容溝内にしっかりと押し付け、前記バネ収容用底部キャビティーがバネのコイル頂部を収容し、各前記毛束組立体が外力作用を受けた時下方に向かってバネを圧縮し、外力が消えた時前記毛束組立体がバネ作用を受けて上方へ復帰することを実現する。
【００１２】
好ましくは、各前記第１接続穴の上部は狭く、下部が広く、前記基台が下部に収容され、前記毛束が上部を通して前記歯ブラシ本体の外に露出して歯をクリーニングするために用いられる。
【００１３】
好ましくは、各前記基台の底部周囲には、固定凸縁が設けられており、前記固定凸縁の寸法が前記バネ収容用底部キャビティーの開口部寸法より大きい。
【考案の効果】
【００１４】
該手動歯ブラシ内にバネを設けており、バネと毛束組立体との当接を利用して毛束組立体の自在な動き及びバネの駆動を実現し、各毛束が歯牙表面の具体的な形状構造に応じて独立して上下に動かせることができ、クリーニング効果が良く、耐久性を確保し、またその構造が簡単で、製造コストが安価である。
【図面の簡単な説明】
【００１５】
以下、添付図面及び実施例を組み合わせて本考案を更に説明する。
【図１】本考案の好ましい実施例に係る手動歯ブラシの構造を示す立体分解図である。
【図２】本考案の好ましい実施例に係る手動歯ブラシ内のバネ組立体の構造を示す立体分解図である。
【図３】本考案の好ましい実施例に係る手動歯ブラシ内のバネ組立体とバネ収容用底部キャビティーとが当接する構造を示す分解図である。
【図４】本考案の好ましい実施例に係る手動歯ブラシ内のバネ組立体の全体的な構造を示す模式図である。
【図５】本考案に係る手動歯ブラシ内のバネ組立体がバネのコイル固定ベースプレートをしっかりと挟持する場合の構造を示す模式図である。
【図６】（ａ）本考案に係る手動歯ブラシ内の毛束組立体が外力を受けず、またバネが自然状態を呈する構造を示す模式図である。（ｂ）本考案に係る手動歯ブラシ内の毛束組立体が外力を受けると共にバネが圧縮された場合の構造を示す模式図である。
【図７】本考案に係る手動歯ブラシ内の毛束組立体が第１接続穴と対応して設けられた場合の構造を示模式図である。
【図８】（ａ）本考案に係る手動歯ブラシ内の毛束組立体が第１接続穴内に設けられた場合を示す模式図である。（ｂ）本考案に係る手動歯ブラシ内の毛束組立体の底部がバネと当接する構造の部分拡大図である。
【図９】本考案に係る手動歯ブラシ内の接続用リベットで組立体底板と組立体天板をリベット接合した前後対比図である。
【図１０】本考案に係る手動歯ブラシ内のバネのコイルとバネ収容用底部キャビティーの寸法がマッチすると共に当接する構造を示す分解図である。
【図１１】（ａ）本考案に係る手動歯ブラシ内の毛束組立体の全体的な構造を示す模式図である。（ｂ）本考案に係る手動歯ブラシ内の毛束組立体の構造を示す立体分解図である。
【図１２】本考案に係る手動歯ブラシ内の毛束組立体の横断面構造を示す模式図である。
【図１３】本考案に係る手動歯ブラシ内の毛束組立体の断面構造を示す模式図及び構造の部分拡大図である。
【考案を実施するための形態】
【００１６】
本考案の技術的特徴、目的及び効果をより一層明確にするため、添付図面を基に、本考案の具体的実施形態を詳細に説明する。
【００１７】
図１は、本考案の好ましい実施例に係る手動歯ブラシの構造を示す立体分解図であり、図２が本考案の好ましい実施例に係る手動歯ブラシ内のバネ組立体の構造を示す立体分解図である。本考案に係る手動歯ブラシは、歯ブラシ本体１と少なくとも１つの毛束組立体２とバネ組立体３とを包括する。歯ブラシ本体１の頭部の上部ケーシング上には、少なくとも１つの第１接続穴１１が設けられている。図１１を組み合わせて参照すると分かるように、各前記毛束組立体２は、毛束２１と基台２２とを含み、少なくとも１つの前記毛束組立体２の毛束２１が各々少なくとも１つの前記第１接続穴１１を通す。
【００１８】
前記バネ組立体３は、少なくとも１つのバネ３１を包括し、各前記バネ３１がコイル３１２と、コイル３１２と連接するコイル固定ベースプレート３１１とを含む。図２と図３を見ても分かるとおり、前記バネ組立体３は少なくとも１つのバネ３１を包括し、少なくとも１つの前記バネ３１の頂部が各々少なくとも１つの前記毛束組立体基台２２のバネ収容用底部キャビティー２２３内に当接する。
【００１９】
前記バネ組立体３は、組立体底板３２と組立体天板３３とを更に含み、各前記バネ３１のコイル固定ベースプレート３１１が前記組立体底板３２と組立体天板３３の間にしっかりと挟持すると共に固定される。各前記バネ３１は、コイル３１２と、コイル３１２と連接するコイル固定ベースプレート３１１とを含み、前記コイル固定ベースプレート３１１が前記組立体底板３２と組立体天板３３の間にしっかりと挟持すると共に固定される。
【００２０】
図１０に示すように、歯ブラシ本体１と歯ブラシ後蓋４のエッジには、各々マッチする固定凹溝及び凸部が設けられており、歯ブラシ本体１及び歯ブラシ後蓋４が固定凹溝及び凸部を通じて嵌め合って固結して一体となり、少なくとも１つの毛束組立体２及びバネ組立体３が歯ブラシ本体１と歯ブラシ後蓋４の間に形成した空洞部内に設けられると共に固定される。
【００２１】
該手動歯ブラシ装置は、歯ブラシ後蓋４を更に含み、前記歯ブラシ後蓋４の内側面に寸法がバネ組立体３の外形寸法とマッチする嵌合凸部４１を設けており、前記バネ組立体３が前記嵌合凸部４１に嵌め合うことによって前記歯ブラシ後蓋４内に固定され、超音波溶接によりバネ組立体３全体を歯ブラシ後蓋４内に固結する。
【００２２】
図２は、本考案の好ましい実施例に係る手動歯ブラシ内のバネ組立体の構造を示す立体分解図である。前記組立体底板３２及び組立体天板３３上には、各々少なくとも１つの第１リベット接続穴３２１と少なくとも１つの第２リベット接続穴３３１が設けられ、少なくとも１つの接続用リベット５が各々少なくとも１つの第１リベット接続穴３２１及び少なくとも１つの第２リベット接続穴３３１を通して前記組立体底板３２と組立体天板３３をリベット接合する。図２の好ましい実施例において、組立体底板３２及び組立体天板３３上には、各々４個の第１リベット接続穴３２１及び４個の第２リベット接続穴３３１が設けられ、またこれに対応して４個の接続用リベット５で組立体底板３２と組立体天板３３をリベット接合する。
【００２３】
前記組立体天板３３上には、寸法が少なくとも１つの前記バネ３１のコイル３１２寸法とマッチする少なくとも１つの天板貫通孔３３２が設けられており、少なくとも１つの前記バネ３１のコイル３１２が各々少なくとも１つの前記天板貫通孔３３２を通す。ただし、少なくとも１つの前記バネ３１のコイル固定ベースプレート３１１の寸法は、各々対応する少なくとも１つの天板貫通孔３３２より大きく、各バネ３１のコイル３１２のみが対応する天板貫通孔３３２を通させることができ、コイル固定ベースプレート３１１が通すことができない。
【００２４】
前記組立体底板３２上には、寸法が少なくとも１つの前記バネ３１のコイル固定ベースプレート３１１中央孔の寸法とマッチする少なくとも１つの環状凸起３２２が設けられており、少なくとも１つの前記環状凸起３２２が各々少なくとも１つの前記バネ３１のコイル固定ベースプレー３１１ト中央孔を通し、少なくとも１つの前記バネ３１のコイル固定ベースプレート３１１を各々少なくとも１つの環状凸起３２２内に嵌め込ませるため、コイル固定ベースプレート３１１が組立体底板３２と組立体天板３３の間にしっかりと挟持すると共に固定される。少なくとも１つの前記バネ３１の各バネ３１の寸法、形状及び素材は、いずれも同じであることが好ましい。
【００２５】
図３は、本考案の好ましい実施例に係る手動歯ブラシ内のバネ組立体とバネ収容用底部キャビティーとが当接する構造を示す分解図である。少なくとも１つの前記バネ３１のコイル３１２は、各々少なくとも１つの前記天板貫通孔３３２を通した後、少なくとも１つの前記毛束組立体２の基台２２のバネ収容用底部キャビティー２２３に当接する。
【００２６】
図４は、本考案の好ましい実施例に係る手動歯ブラシ内のバネ組立体の全体的な構造を示す模式図である。図内から分かるように、接続用リベット５で組立体底板３２と組立体天板３３をリベット接合する以外に、組立体底板３２と組立体天板３３のエッジの複数結合凹み部でレーザー接合を行い、更に組立体底板３２と組立体天板３３を一体に固定すると共に結合凹溝３９を形成する。該図内の好ましい実施例において、６個の結合凹み部に対しレーザー接合を行うと共に６個の結合凹溝３９を形成する。また、該６個の結合凹溝３９は、各々寸法及び位置に対応する６個の嵌合凸部４１と嵌め合うと共に互いに固定されることで、バネ組立体３を前記嵌合凸部４１に嵌め合うことによって前記歯ブラシ後蓋４内に固定することを実現する。
【００２７】
図５は、本考案に係る手動歯ブラシ内のバネ組立体がバネのコイル固定ベースプレートをしっかりと挟持する場合の構造を示す模式図である。少なくとも１つの前記バネ３１のコイル固定ベースプレート３１１の面積は、各々少なくとも１つの前記天板貫通孔３３２より大きく、少なくとも１つの前記環状凸起３２２が更に少なくとも１つの前記天板貫通孔３３２を各々通して少なくとも１つの前記バネ３１のコイル固定ベースプレート３１１を前記組立体底板３２と組立体天板３３の間にしっかりと挟持すると共に固定させる。また、各環状凸起３２２の外直径は、対応するコイル３１２の内直径より小さい。こうしてコイル固定ベースプレート３１１がしっかりと挟持されている状態において、コイル３１２は、組立体底板３２及び組立体天板３３に基づいて外方へ延伸する。
【００２８】
図６（ａ）は、本考案に係る手動歯ブラシ内の毛束組立体が外力を受けず、またバネが自然状態を呈する構造を示す模式図であり；図６（ｂ）は、本考案に係る手動歯ブラシ内の毛束組立体が外力を受けると共にバネが圧縮された場合の構造を示す模式図である。バネ３１は、毛束組立体２の基台２２底部に設けられたバネ収容用底部キャビティー（図示せず）内に当接する。各前記第１接続穴１１の上部は狭く、下部が広く、前記基台２２が第１接続穴１１の下部に収容され、第１接続穴１１の上部直径寸法が基台２２の寸法より小さいため、基台２２が通すことができず、第１接続穴１１下部の空間内のみで上下に移動できる。前記毛束２１が第１接続穴１１の上部を通して前記歯ブラシ本体１の外に露出して歯をクリーニングするために用いられる。歯ブラシ本体１の外に露出した毛束２１を歯牙表面に作用させた時、外力作用を受けたことで、毛束組立体２の底部と当接するバネ３１を圧縮する。毛束２１の歯牙表面外力作用を受ける大きさ及びバネ３１が圧縮される程度は、歯牙表面の不規則形状及び使用者の手の作用力によって決定する。
【００２９】
歯をクリーニングする歯ブラシにとって、最も効果的に歯をクリーニングする部位は毛束の先端部である。該従来の歯ブラシの毛束を歯牙表面に作用した場合、歯牙表面の作用力を受けた時、毛束が屈曲され、毛束２１の先端部が効果的に歯牙表面に直接作用して刷掃やクリーニングを行うことができないため、クリーニングの効果が悪くなる。毛束が固定される従来の手動歯ブラシに比べると、本考案に係る毛束２１が歯牙表面の外力作用を受けた時、該毛束２１がバネ３１を圧縮して下方に向かって動くため、屈曲しにくく、毛束の先端部がずっと歯牙表面に直接作用させることができ、クリーニング効果を大幅に向上する。通常歯の側面又は歯間部は、歯牙表面に比べると、より多くの隙間及び凹み空間があり、毛束の先端部が歯牙表面から歯の側面又は歯間部の位置に移動した時、圧縮されたバネが迅速に毛束の先端部を押してリアルタイムで歯の側面又は歯間部の隙間に作用して刷掃し、従来の手動歯ブラシのように歯の不規則表面に応じて歯に作用して効果的にクリーニングできないようにはならない。
【００３０】
図７は本考案に係る手動歯ブラシ内の毛束組立体が第１接続穴と対応して設けられた場合の構造を示模式図である。図８（ａ）は、本考案に係る手動歯ブラシ内の毛束組立体が第１接続穴内に設けられた場合を示す模式図であり、図８（ｂ）が本考案に係る手動歯ブラシ内の毛束組立体の底部がバネと当接する構造の部分拡大図である。
【００３１】
図９は、本考案に係る手動歯ブラシ内の接続用リベットで組立体底板と組立体天板をリベット接合した前後対比図である。接続用リベット５の一端は、各々組立体天板３３の第２リベット接続穴３３１及び組立体底板３２の第１リベット接続穴３２１を通した後、二次加工を行い、リベットをかしめることで、組立体天板３３と組立体底板３２を一体に固定する。
【００３２】
図１０は、本考案に係る手動歯ブラシ内のバネのコイルとバネ収容用底部キャビティーの寸法がマッチすると共に当接する構造を示す分解図である。
【００３３】
図１１（ａ）は、本考案に係る手動歯ブラシ内の毛束組立体の全体的な構造を示す模式図であり；図１１（ｂ）は、本考案に係る手動歯ブラシ内の毛束組立体の構造を示す立体分解図である。各前記毛束組立体２は、基台２２と毛束押え部材２３と毛束２１と毛束基台パッド２４とを含む。
【００３４】
図１２は、本考案に係る手動歯ブラシ内の毛束組立体の横断面構造を示す模式図であり、図１３が本考案に係る手動歯ブラシ内の毛束組立体の断面構造を示す模式図及び構造の部分拡大図である。各前記毛束組立体２の基台２２には、収容溝２２１、頂部押圧開口部２２２及びバネ収容用底部キャビティー２２３が設けられており、前記毛束基台パッド２４が水平方向に配置されると共に収容溝２２１内の底部位置に嵌め合い、前記毛束押え部材２３が垂直方向に配置されると共に収容溝２２１内に嵌め合い；前記毛束２１の中間部位は、垂直に配置される毛束押え部材２３と水平に配置される毛束基台パッド２４の間にしっかりと押さえ付けて固定され、前記毛束２１の両端が収容溝２２１の隙間を経由して基台２２の外に露出する。
【００３５】
前記頂部押圧開口部２２２は、底部が広く、頭部が狭い「八」の字の形をなし、毛束押え部材２３を収容溝２２１内にしっかりと押し付け、変形しやすい材料で製造される。前記バネ収容用底部キャビティー２２３がバネ３１のコイル３１２頂部を収容し、各前記毛束組立体２が外力作用を受けた時下方に向かってバネ３１を圧縮し、外力が消えた時前記毛束組立体２がバネ３１作用を受けて上方へ復帰することを実現する。
【００３６】
各前記第１接続穴１１の上部は狭く、下部が広く、前記基台２２の本体部分２２６が第１接続穴１１の下部に収容され、前記毛束２１が上部を通して前記歯ブラシ本体１の外に露出して歯をクリーニングするために用いられる。
【００３７】
各前記基台２２の底部周囲には、固定凸縁２２４が設けられており、前記固定凸縁２２４の寸法が前記バネ収容用底部キャビティー２２３の開口部寸法より大きい。図１１に示すように、該固定凸縁２２４は、環状凸起である。前記固定凸縁２２４の寸法は、前記バネ収容用底部キャビティー２２３の開口部寸法より大きい。図８を見ても分かるとおり、固定凸縁２２４以上の基台２２本体部分２２６は第１接続穴１１の下部に収容されることができ、固定凸縁２２４の寸法が第１接続穴１１の下部の横断面寸法より大きいため、基台２２が第１接続穴１１内に完全に収容又は係止することによって、自由自在に上下移動できないことを防止できる。
【００３８】
該毛束組立体２を組み立ている過程中、毛束押え部材２３を基台２２の収容溝２２１に入れる前、頂部押圧開口部２２２は底部が狭く、頭部が広い外「八」文字であり、従って毛束押え部材２３及び毛束基台パッド２４を入れてから毛束基台パッド２４を基台２２の収容溝２２１に入れることに便利になる。組み立てる時、毛束２１の開始部位は頭尾両端が真っ直ぐに伸ばしている状態にあり、毛束押え部材２３が機械つかみチャックの外力作用下で毛束２１の中心に移動すると共に毛束２１の真っ直ぐに伸ばす方向に垂直となり、更に機械つかみチャックの外力作用下で毛束２１の真っ直ぐに伸ばす方向に向かって移動し、従って毛束２１を押し曲げると共に二つに折り、最後に毛束２１の二つに折った後の中央部位が毛束２１を連動して毛束押え部材２３と共に収容溝２２１内に入れられる。また毛束２１の中央部位は毛束押え部材２３と毛束基台パッド２４の間にしっかりと押し付けられる。頂部押圧開口部２２２は、人工或いは機械の外力作用下で変形され、底部が狭く、頭部が広い外「八」文字から底部が広く、頭部が狭い内「八」文字に変わることで、毛束押え部材２３を収容溝２２１内に固定させ、緩い及び脱落をしない。前記バネ収容用底部キャビティー２２３は、バネの頂部を収容し、前記毛束組立体２が外力作用を受けた時下方に向かってバネを圧縮し、外力が消えた時前記毛束組立体２がバネ作用を受けて上方へ復帰することを実現する。
【００３９】
また、図１３内の右側にある２つの拡大図を見ても分かるとおり、毛束押え部材２３と本体部分２２６の内側壁の間は、締まりばめを通じて互いに固定及び係合し、毛束基台パッド２４と本体部分２２６の内側壁の間も締まりばめを通じて互いに固定及び係合する。
【００４０】
以上、添付図面を組み合わせて本考案の実施例を記述したが、本考案は上記具体的実施形態に限定されることなく、上記具体的実施形態がわずか例示的なものであって、限定的なものではなく、この分野における通常知識を有する者は、本考案の教示下で本考案の要旨及び実用新案登録請求の範囲を逸脱しない範囲において、種々変形実施可能であり、これらは均しく本考案が主張する保護範囲に属する。
【図１】
0003212964.tif 000003
【図２】
0003212964.tif 000004
【図３】
0003212964.tif 000005
【図４】
0003212964.tif 000006
【図５】
0003212964.tif 000007
【図６】
0003212964.tif 000008
【図７】
0003212964.tif 000009
【図８】
0003212964.tif 000010
【図９】
0003212964.tif 000011
【図１０】
0003212964.tif 000012
【図１１】
0003212964.tif 000013
【図１２】
0003212964.tif 000014
【図１３】
0003212964.tif 000015